(57)【要約】      （修正有）【課題】傘生地を光らせることにより、安全確保や広告宣伝等の効果を発揮することができる発光傘を提供する。【解決手段】発光傘１は、ハンドル３と、石突４と、ハンドル３および石突４を結ぶ中棒５と、中棒５に沿って上ろくろ部６からハンドル３近傍までスライド移動可能に設けられた下ろくろ部７と、傘生地２を展張するように上ろくろ部６から放射状に延びる複数の親骨８と、親骨８の先端に設けられた露先９と、下ろくろ部７と親骨８の中程とを連結しつつ放射状に延びる複数の受骨１０とから構成されている。下ろくろ部７に設けられた絵柄投影手段１１は、傘生地２に向けて光１２を発し、傘生地２上に絵柄１３を投影する。傘生地２がポリ塩化ビニル（ＰＶＣ）や熱可塑性ポリウレタン（ＴＰＵ）等の半透明素材から作られることにより、投影された絵柄１３を傘生地２の外側から容易に視認することができる。【選択図】図１
0003160639.tif 000002
【実用新案登録請求の範囲】
【請求項１】
ろくろ部に、絵柄を投影する絵柄投影手段が設けられていることを特徴とする発光傘。
【請求項２】
前記絵柄投影手段が下ろくろ部に設けられている、請求項１に記載の発光傘。
【請求項３】
前記絵柄が傘生地の内側に投影される、請求項１または２に記載の発光傘。
【請求項４】
前記傘生地が、投影された絵柄を外側から透視可能な生地からなる、請求項３に記載の発光傘。
【請求項５】
前記傘生地に、投影される絵柄とは別の模様または絵柄が描かれている、請求項３または４に記載の発光傘。
【請求項６】
前記絵柄投影手段が、前記傘生地に投影された時に絵柄に生じる歪みを補正する歪み補正機構を備えている、請求項３〜５のいずれかに記載の発光傘。
【請求項７】
前記絵柄投影手段が、前記絵柄を点滅表示させる絵柄点滅表示機構を備えている、請求項１〜６のいずれかに記載の発光傘。
【請求項８】
前記絵柄投影手段が、前記絵柄を中棒の周りに回転表示させる絵柄回転表示機構を備えている、請求項１〜７のいずれかに記載の発光傘。
【請求項９】
前記絵柄投影手段が、光源としてのＬＥＤと、該ＬＥＤからの光が透過することにより前記絵柄を投影するフィルムとからなる、請求項１〜８のいずれかに記載の発光傘。
【請求項１０】
前記ＬＥＤが中棒の周りに沿って複数設けられている、請求項９に記載の発光傘。
【請求項１１】
前記絵柄投影手段に対し、防水処理または防滴処理が施されている、請求項１〜１０のいずれかに記載の発光傘。
【請求項１２】
前記絵柄投影手段が、前記ろくろ部に埋設されている、請求項１〜１１のいずれかに記載の発光傘。
【請求項１３】
前記絵柄投影手段が、該絵柄投影手段自体または投影する絵柄を交換可能に構成されている、請求項１〜１２のいずれかに記載の発光傘。
【考案の詳細な説明】
【技術分野】
【０００１】
本考案は、傘生地を光らせることにより、安全確保や広告宣伝等の効果を発揮することができる発光傘に関する。
【背景技術】
【０００２】
特許文献１には、ダイオードや電球等の発光体を取り付けて、視認性や夜間におけるイルミネーション効果を発揮するようにしたイルミネーション広告宣伝傘が開示されている。また、特許文献２には、笠衣のデザインの変化により携帯用広告灯として使用可能なあんどん型笠が開示されている。
【先行技術文献】
【特許文献】
【０００３】
【特許文献１】特開２００６−３１４７２２号公報
【特許文献２】特開平０８−３３９７０８号公報
【考案の概要】
【考案が解決しようとする課題】
【０００４】
特許文献１、２に開示される傘は、広告等の絵柄を予めプリント等により表示した傘生地を照らすことによって、広告媒体等としての機能を発揮する。従って、このような傘を製造するにあたっては、視認性や防水性の観点を考慮して傘生地やインク等の素材を適切に選定する必要がある。さらに、このような傘には、絵柄が予め傘生地にプリント等により表示されているので、絵柄を表示させずに傘を使用することができない。
【０００５】
このような現状に鑑み、本考案の課題は、任意に絵柄を表示させ、あるいは表示させないことが可能な発光傘を提供することにある。
【課題を解決するための手段】
【０００６】
上記課題を解決するために、本考案に係る発光傘は、ろくろ部に、絵柄を投影する絵柄投影手段が設けられていることを特徴とするものからなる。このように、本考案の発光傘においては、ろくろ部に設けられた絵柄投影手段によって、表示させたい時だけ絵柄を表示させ、あえて表示させたくない場合には絵柄非表示の状態を作出することにより、多様な用途に利用することが可能となる。ここで絵柄とは、被投影物上に映し出すことが可能な表示を広く示し、色彩やデザインのほか、文字や記号等も絵柄に含まれる。
【０００７】
本考案の発光傘において、絵柄投影手段を下ろくろ部に設けることが好ましい。このように発光傘を構成することにより、傘の開閉操作に支障をきたすことを防止できる。
【０００８】
また、前記絵柄は傘生地の内側に投影されることが好ましく、前記傘生地が、投影された絵柄を外側から透視可能な生地で作られることがより好ましい。このような条件下で絵柄が傘生地に投影されることにより、鮮明に表示された絵柄を傘生地の外側から高い視認性をもって認識することが可能となる。
【０００９】
本考案の発光傘において、前記傘生地に、投影される絵柄とは別の模様または絵柄が描かれていることが好ましい。投影される絵柄が、傘生地に予め描かれた模様または絵柄と相まって複合的な構図を形成することにより、より多彩なデザインを傘生地上に表示することが可能となる。
【００１０】
また、前記絵柄投影手段が、前記傘生地に投影された時に絵柄に生じる歪みを補正する歪み補正機構を備えていることが好ましい。一般的に、傘を開いたときに傘生地は曲面をなすので、平面形状のスクリーンに対し垂直に絵柄を投影するための絵柄投影手段をそのまま利用すると、絵柄が歪んで表示されることになる。そこで、上記歪み補正機構を備えることにより、傘を開いた状態の傘生地の曲面に対して歪みのない絵柄を投影することが可能となる。
【００１１】
本考案に係る発光傘において、前記絵柄投影手段が、前記絵柄を点滅表示させる絵柄点滅表示機構を備えていることが好ましい。絵柄点滅表示機構を備えることにより、投影された絵柄をより目立たせることが可能になるとともに、絵柄投影手段を作動させるための電池等の電源の消費電力を節約することが可能となる。
【００１２】
また、前記絵柄投影手段が、前記絵柄を中棒の周りに回転表示させる絵柄回転表示機構を備えていることが好ましい。絵柄表示手段によって絵柄が回転表示されることにより、投影された絵柄が、あらゆる方向から走馬灯のように目立って見えるようになり、広告宣伝等の効果をより一層向上させることができる。
【００１３】
本考案の発光傘において、前記絵柄投影手段が、光源としてのＬＥＤ（発光ダイオード）と、該ＬＥＤからの光が透過することにより前記絵柄を投影するフィルムとからなることが好ましい。このように、ＬＥＤとフィルムから構成されるシンプルな絵柄投影手段を用いることにより、製造コストや消費電力を低く抑えつつ、故障の少ない発光傘が実現可能となる。また、前記ＬＥＤを中棒の周りに沿って複数設けることにより、絵柄をより明るく投影することができるとともに、あらゆる方向からの視認性を確保することが可能となる。
【００１４】
また、前記絵柄投影手段には防水処理または防滴処理を施すことが好ましい。これによって、本考案の発光傘を雨天時に使用する際の故障防止が図られる。また、前記絵柄投影手段を前記ろくろ部に埋設することにより、発光傘の使用時や開閉時に絵柄投影手段が邪魔になったり、絵柄投影手段に発光傘使用者の手や他の物が触れることで絵柄投影手段が破損等することを効果的に防止することができる。
【００１５】
本考案に係る発光傘において、前記絵柄投影手段が、該絵柄投影手段自体または投影する絵柄を交換可能に構成されていることが好ましい。本考案の発光傘をこのように構成することにより、一旦製造した発光傘の絵柄を変更する際や、発光傘が投影できる絵柄に多彩なバリエーションを持たせて発光傘を大量生産する際に、対応が容易になる。絵柄を交換するための具体的な方法としては、絵柄投影手段自体を発光傘から取り外し容易に構成する方法のほか、ＬＥＤとフィルムから構成される絵柄投影手段のフィルムのみを容易に取り外し可能に構成する方法が挙げられる。
【考案の効果】
【００１６】
本考案に係る発光傘によれば、ろくろ部に設けられた絵柄投影手段を用いて、任意に絵柄を表示させ、または表示させないようにすることが可能となるので、広告宣伝の用途ばかりでなく、通常の雨傘または日傘を含めた多様な用途に利用可能な発光傘が提供される。
【図面の簡単な説明】
【００１７】
【図１】本考案の一実施態様に係る発光傘を示し、（Ａ）は傘生地の内側から見た斜視図、（Ｂ）は傘生地の外側から見た正面図、（Ｃ）は下ろくろ部近傍を拡大した部分拡大斜視図である。
【図２】本考案に係る発光傘に設けられる絵柄投影手段の一例を示し、（Ａ）は斜視図、（Ｂ）は絵柄投影の原理を示す説明図である。
【図３】図２の絵柄投影手段の歪み補正機構を説明する概念図であり、（Ａ）は歪み補正前の状態、（Ｂ）は歪み補正後の状態を示す。
【図４】本考案に係る発光傘に設けられる絵柄投影手段の他の例を示す斜視図である。
【図５】本考案に係る発光傘に設けられる絵柄投影手段のさらに他の例を示す斜視図である。
【考案を実施するための形態】
【００１８】
以下に、本考案の望ましい実施の形態について、図面を参照しながら詳細に説明する。
図１は、本考案の一実施態様に係る一実施態様に係る発光傘１の概略構成を示し、（Ａ）は傘生地２の内側から見た全体斜視図、（Ｂ）は傘生地２の外側から見た部分正面図、（Ｃ）は下ろくろ部近傍を拡大した部分拡大斜視図である。発光傘１は、ハンドル３と、石突４と、ハンドル３および石突４を結ぶ中棒５と、中棒５に沿って上ろくろ部６からハンドル３近傍までスライド移動可能に設けられた下ろくろ部７と、傘生地２を展張するように上ろくろ部６から放射状に延びる複数の親骨８と、親骨８の先端に設けられた露先９と、下ろくろ部７と親骨８の中程とを連結しつつ放射状に延びる複数の受骨１０とから構成されている。下ろくろ部７に設けられた絵柄投影手段１１は、傘生地２に向けて光１２を発し、傘生地２上に絵柄１３を投影する。傘生地２がポリ塩化ビニル（ＰＶＣ）や熱可塑性ポリウレタン（ＴＰＵ）等の半透明素材から作られることにより、投影された絵柄１３を傘生地２の外側から容易に視認することができる。
【００１９】
図２は、本考案に係る発光傘に設けられる絵柄投影手段の一例を示し、（Ａ）は斜視図である。絵柄投影手段２０は、中棒５に沿ってスライド移動可能な下ろくろ部２７に埋設されており、レンズ２３から絵柄投影手段２０の外部に向けて絵柄が投影される。
【００２０】
図２（Ｂ）には絵柄投影手段２０による絵柄投影の原理が示されている。フィルム２２には、投影される絵柄１３のもとになる原絵柄１３ａが印刷されており、光源としてのＬＥＤ２１に電池（図示略）から電力が供給され、ＬＥＤ２１から照射された光１２がフィルム２２を通過することにより光１２に原絵柄１３ａの画像情報が付加され、さらにレンズ２３によって光が発散されることにより、原絵柄１３ａが拡大された絵柄１３が傘生地２に向けて投影される。また、ＬＥＤ２１を点滅させることによって、絵柄１３の存在を目立たせることができるとともに、ＬＥＤ２１の消費電力を節約し、電池の寿命を長期化させることができる。
【００２１】
図３は、図２の絵柄投影手段２０の歪み補正機構を説明する概念図であり、（Ａ）は歪み補正前の状態、（Ｂ）は歪み補正後の状態を示している。図３（Ａ）の歪み補正前の状態においては、レンズ２３から発散される光１２は、絵柄１３を平面スクリーン２５上に正射影として歪みなく投影することができるが、曲面をなす傘生地２上に絵柄を投影すると、歪んだ図柄１３ｂとして投影されてしまう。そこで、フィルム２２やレンズ２３の設置角度を調節して歪みを補正することにより、図３（Ｂ）に示すように、絵柄１３を傘生地２上に歪みなく投影することができるようになる。
【００２２】
図４は、本考案に係る発光傘に設けられる絵柄投影手段の他の例を示す斜視図である。絵柄投影手段３０は、中棒５の周りに回転して光１２の照射方向（レンズ３３の配置方向）を変えることができるように、下ろくろ部２７に回転スライド可能に埋設されている。図４において破線で示される円は、実線の円で示されるレンズ３３が回転して当該破線の位置に移動することができることを示しており、光１２はレンズ３３が回転して移動した位置から照射されるので、絵柄１３は中棒５の周りを回転するように投影され表示される。このように、絵柄投影手段３０が絵柄回転表示機構を備えることにより、絵柄１３が走馬灯のように目立って見えるようになり、広告宣伝等の効果の向上が図られる。
【００２３】
図５は、本考案に係る発光傘に設けられる絵柄投影手段のさらに他の例を示す斜視図である。絵柄投影手段４０においては、中棒５の全周にわたってレンズ４３が設置され、各レンズ４３の内側にはそれぞれＬＥＤ（図示略）が設けられている。このように、絵柄投影手段４０が中棒５の全周にわたって絵柄を投影可能に構成されることにより、絵柄１３がより明るく投影表示されるとともに、あらゆる方向からの視認性を確保することができる。
【産業上の利用可能性】
【００２４】
本考案に係る発光傘は、雨傘、日傘および広告宣伝用の傘として適用可能である。
【符号の説明】
【００２５】
１  発光傘
２  傘生地
３  ハンドル
４  石突
５  中棒
６  上ろくろ部
７、２７  下ろくろ部
８  親骨
９  露先
１０  受骨
１１、２０、３０、４０  絵柄投影手段
１２  光
１３、１３ｂ  絵柄
１３ａ  原絵柄
２１  ＬＥＤ
２２  フィルム
２３、３３、４３  レンズ
２５  平面スクリーン
【図１】
0003160639.tif 000003
【図２】
0003160639.tif 000004
【図３】
0003160639.tif 000005
【図４】
0003160639.tif 000006
【図５】
0003160639.tif 000007